(57)【特許請求の範囲】
【請求項１】
キャビネットの直方体をなす骨組みを構成するフレームと、
前記フレームの前方に配置されたスクリーンと、
前記フレームの後方に配置され、外光を遮断する遮光手段が施されるとともに、前記スクリーンに映像を投射する手段を有するシャーシ本体と、
前記シャーシ本体の前面に結合され前記映像を投射する手段からの投射光を前記スクリーンに導くホッパ形状のエンクロージャと、
前記シャーシ本体の前面において前記エンクロージャの結合部分の外側に形成され、前記シャーシ本体内で発生した熱を前方より外部に排出する通気孔と、
を備えて構成されていることを特徴とするプロジェクタ装置。
【請求項２】
前記通気孔は前記シャーシ本体の前面において前記シャーシ本体と前記エンクロージャの結合部分近傍の上下左右に形成されていることを特徴とする請求項１に記載のプロジェクタ装置。
【請求項３】
前記キャビネットを多段に積み重ねることによってマルチ映像画面を映し出すことができるようにしたことを特徴とする請求項１、又は請求項２に記載のプロジェクタ装置。
【発明の詳細な説明】
【０００１】
【発明の属する技術分野】
本発明は、多段型マルチプロジェクタとして積み上げた場合でもシャーシ本体から排出される熱の通気性を維持し、冷却効率を向上することができるプロジェクタ装置に関するものである。
【０００２】
【従来の技術】
例えば屋外あるいは屋内広場において、非常に大きな画像を映す場合に、複数枚のスクリーンを組み合わせて大きな画像を得る多段型マルチプロジェクタ装置が知られている。
図３は従来のプロジェクタ装置を積み上げて構成した多段型マルチプロジェクタ装置の一例を示す図である。
多段型マルチプロジェクタでは、スクリーン２１、２１、２１・・・がそれぞれ前面に取り付けられ直方体で形成されているキャビネット２０、２０、２０・・・が、例えば３×３の多段に積み上げられ、キャビネット２０、２０、２０・・・の前面に取り付けられたスクリーン２１、２１、２１・・・を複数枚（３×３の場合には９枚、又例えば４×４の場合は１６枚）組み合わせることにより大画面を構成している。
【０００３】
キャビネット２０、２０、２０・・・のシャーシ本体２２、２２、２２・・・は、その骨組みとなるフレーム（図示せず）に対して外光を遮断するためのプレートを貼り付けた箱型構造とされている。そして、内部に陰極線管（Ｃａｔｈｏｄｅ  Ｒａｙ  Ｔｕｂｅ・・・ＣＲＴ）が内蔵してあり、スクリーン２１、２１、２１・・・に対してＣＲＴから映像を投射することにより、複数枚のスクリーン２１、２１、２１・・・の全体として、一画面の画像を得ることができるように構成してある。
【０００４】
また、キャビネット２０、２０、２０・・・を多段に積み重ねることにより、シャーシ本体２２、２２、２２・・・から発生する熱がキャビネット２０、２０、２０・・・内にこもってしまいプロジェクタ装置本来の性能に悪影響を与えることになるので、例えば冷却ファン等を用いてキャビネット２０、２０、２０・・・の外側に熱を逃がすようにしている。
【０００５】
【発明が解決しようとする課題】
ところが、キャビネット２０は上下左右に積み上げられているので、各キャビネット内に蓄積された熱は冷却ファンによってそれぞれ矢印で示されているようにプロジェクタ装置の後方側に排出せざるを得ないから、例えばスペース上の問題で、後方側を壁に隣接させて配置する場合は通気性の問題から冷却効率が良いものではなく、十分な熱排出を行うことができず、プロジェクタ装置本来の性能を引き出すことができない場合がある。
また、冷却効率を上げるためには通気性の良い広いバックスペースが必要になるので、プロジェクタ装置の大きさに対してより広い設置スペースが必要になるという問題点がある。
【０００６】
【課題を解決するための手段】
本発明はこのような問題点を解決するためになされたもので、キャビネットの直方体をなす骨組みを構成するフレームと、前記フレームの前方に配置されたスクリーンと、前記フレームの後方に配置され、外光を遮断する遮光手段が施されるとともに、前記スクリーンに映像を投射する手段を有するシャーシ本体と、前記シャーシ本体の前面に結合され前記映像を投射する手段からの投射光を前記スクリーンに導くホッパ形状のエンクロージャと、前記シャーシ本体の前面において前記エンクロージャの結合部分の外側に形成され、前記シャーシ本体内で発生した熱を前方より外部に排出する通気孔と、を備えてプロジェクタ装置を構成する。
【０００７】
本発明によれば、シャーシ本体の前方に通気孔を形成しているので、シャーシ本体内で発生した熱をキャビネットの前方及び横方向に向けて排出することができ、キャビネットの後方が壁などに隣接して配置される場合でも、十分な熱交換を行うことができるようになる。
【０００８】
【発明の実施の形態】
以下、本発明のプロジェクタ装置の実施の形態を説明する。
図１は本実施の形態のプロジェクタ装置の外観斜視図である。
プロジェクタ装置のキャビネット１は複数本のフレーム２によって骨組みが形成されており、さらに各フレーム２の上辺及び下辺には、係合部２ａ、２ａ、被係合部２ｂ、２ｂ、嵌合部２ｃ、２ｃ、被嵌合部２ｄ、２ｄが形成されている。そして２乃至３個のキャビネット１を上方に複数積み重ねて多段型プロジェクタ装置を構成する場合は、係合部２ａと凹部となっている被係合部２ｂ、及び突起状の嵌合部２ｃと穴が開いている被嵌合部２ｄを組み合わせることによって積み重ね状態を安定することができるようになっている。なお、プロジェクタ装置が例えば最上段に配置される場合は、キャビネット１の天面には後で図２（ａ）に示すように天板を配置するようにしても良い。
またプロジェクタ装置を横方向に並置する場合は、例えばフレーム２の側辺部分に上記した係合部２ｂ、嵌合部２ｃ等と同様の位置決め手段を設けても良いし、専用の治具等を用いてフレーム２同士を固定するようにしても良い。
【０００９】
シャーシ本体３は画像としてのＲＧＢ光を投射するＣＲＴ等が内蔵され、外壁は外光を遮断するカバーによって覆った状態でフレーム２の後方に配置されている。エンクロージャ４はホッパ形状で構成されシャーシ本体３に内蔵されているＣＲＴの投射光のみをスクリーン７に導くとともに、キャビネット１の外形の一部としてフレーム２に固定されている。
【００１０】
スクリーンブラケット５はフレーム２の前方に固定されスクリーンホルダ６を保持するように構成されている。スクリーンホルダ６はスクリーン７を保持し、例えばスクリーン７の交換、清掃作業時にはキャビネット１の前方に、図示していないスライド機構によって前方に移動するように構成されている。スクリーン７は例えばフレネルレンズ、レンチキュラーレンズ等によって構成され、スクリーンホルダ６に対して脱着可能に取付けられている。そして、前記ＣＲＴから投影されたＲＧＢ光が到達することによって画像を形成することになる。
【００１１】
通気孔８ａ、８ｂ、８ｃ、８ｄはシャーシ本体３の前方においてエンクロージャ４との結合部分の上下左右に形成され、シャーシ本体３内部に配置されている冷却ファンによってＣＲＴ等の発熱を通気孔８ａ、８ｂ、８ｃ、８ｄからエンクロージャ４のホッパ形状に沿ってキャビネット１の前方外側に逃がすように形成されている。なお、通気孔８ａ、８ｂ、８ｃ、８ｄにはシャーシ本体３内部に塵などが侵入しないようにフィルタ等の防塵手段が設けられている。
【００１２】
このように、本発明のプロジェクタ装置はシャーシ本体３内に発生した熱を逃がす通気孔８（ａ、ｂ、ｃ、ｄ）をキャビネット１の前方に向けて構成しているので、キャビネット１背面を壁などに隣接させて配置した場合でも、通気性を損ねることなく十分な熱交換を行うことができるので冷却効率を向上することができる。
【００１３】
図２（ａ）はキャビネット１の上面図、図２（ｂ）はキャビネット１の側面図、図２（ｃ）はキャビネット１の正面であるスクリーン７側から示している図である。なお、図２（ａ）の上面図は天板９が配置されている状態を示している。図２（ａ）に矢印で示されているようにシャーシ本体３の前方左右に通気孔８ａ、８ｃを形成することによって、冷却ファンによって排出された熱はキャビネット１の左右両側に逃がすことができるようになる。
また、図２（ｂ）に示されているようにシャーシ本体３の前方上下に通気孔８ｂ、８ｄを形成することによって、冷却ファンによって排出された熱はキャビネット１の上下に逃がすことができるようになる。
【００１４】
つまり、本発明では図２（ｃ）の矢印１０ａ、１０ｂ、１０ｃ、１０ｄに示されているように、キャビネット１の正面から見ると前方の上下左右に熱を逃がすことができるようになる。さらに、通気孔８ａ、８ｂ、８ｃ、８ｄはホッパ形状とされているエンクロージャ４の付け根部分に形成されているので、熱の排出方向に煙突状の空間が形成され冷却ファンによって排出された熱はその傾斜に沿ってキャビネット１の外側に逃がすことができるようになる。
【００１５】
また、例えば５段以上の多段積みをする場合に、各キャビネト１を確実に積み上げて固定するために、フレーム２の空間部分を利用して補強材などを配置することも可能であり、安定した多段型プロジェクタ装置を構成することができるようになる。
【００１６】
【発明の効果】
以上、説明したように本発明のプロジェクタ装置は、シャーシ本体内で発生した熱を、シャーシ本体前方に形成されている通気孔からキャビネットの外側に逃がすことができるように構成されているので、奥行きが狭くキャビネットの後部と壁が隣接するようなスペースに設置しても十分な熱交換を行うことができるようになる。
また、通気孔は前方に向かってホッパ形状で構成されているエンクロージャの付け根部分に形成されるので、この通気孔から排出された熱はエンクロージャのホッパ形状に沿ってキャビネットの前方外側に逃げるようになるので、冷却効率が向上するとともに、プロジェクタ装置の性能低下を抑制することが可能になる。
さらに、冷却効率が向上することから冷却ファンの数及び容量の削減にもつながるという利点がある。
【図面の簡単な説明】
【図１】本発明の実施の形態のプロジェクタ装置の外観斜視図である。
【図２】本実施の形態のプロジェクタ装置を天面、側面及び正面から示す図である。
【図３】従来のプロジェクタ装置を多段に積み上げた状態を示す図である。
【符号の説明】
１  キャビネット
２  フレーム
３  シャーシ本体
４  エンクロージャ
８ａ、８ｂ、８ｃ、８ｄ  通気孔
【図１】
0003588869.tif 000002
【図２】
0003588869.tif 000003
【図３】
0003588869.tif 000004